(57)【要約】【課題】耳への装着性を維持すると共に、脱落しにくく、マイクロホンを耳甲介腔の下部に適正な圧力で押圧することを、耳の大きさ形状の多様性に対して実現する耳装着補助具を提供することを目的とする。【解決手段】本体への取り付けを容易にし複数種の補助具の交換使用を容易にするとともに、耳形状の多様性に対して脱落し難く装着安定性に最も寄与する手段として、耳珠の内側から外耳道口に至る部分に当てる突起部を設けて、さらに、この突起部が耳の形状の多様性に対して有効に作用するように主として耳甲介腔および耳甲介窩部分の大きさの違いに柔軟に変形するドーム形状の弾性部を形成し脱落防止を計るとともに、このドーム状弾性部でマイクロホンの耳甲介腔の下部への適切な押圧も得るようにする。また、ドーム形状を重ねて形成し、使用者がそのドーム形状のひとつをカッター等で切り取ることにより、より多種類の大きさのドーム状部を持つ耳装着補助具を得られるようにする。【選択図】図２
2005184579.tif 000002
【特許請求の範囲】
【請求項１】
耳装着型の音情報伝達器において耳甲介腔部に挿入する略円筒形部分の外周に挿入方向とは直角方向に張り出した本体側の突起と勘合する勘合部を有し、耳の対輪の内側と耳甲介腔とその上部の耳甲介窩の外周部に形成される壁に当てる弾性を持った外形を有する耳装着補助具で、耳珠の内側から外耳道口に至る部分に当てる弾性を持った突起部を挿入方向とは直角方向に有することを特徴とする耳装着補助具。
【請求項２】
前記突起部の外形は略ドーム状であることを特徴とする請求項1記載の耳装着補助具。
【請求項３】
前記ドーム状突起部の内側、あるいは外側にさらにドーム状の形状を有する突起部を更に有することを特徴とする請求項２記載の耳装着補助具。
【発明の詳細な説明】
【技術分野】
【０００１】
本発明は、音声の骨伝導を利用する耳装着型の音情報伝達器における耳装着のための補助具であり、その耳からの脱落防止と、マイクロホンを耳甲介腔の下部に適切な圧力で押圧する機能を持った耳装着補助具に関するものである。
【背景技術】
【０００２】
耳の耳甲介腔部に装着するイヤホン類においては、耳からの脱落防止の手段としてイヤホンの主として外周部にスポンジ製の略円形のリング状の装着補助具を付けるものや、イヤホンを挿入する穴部を有し、外形を耳甲介腔部の形状に模した軟質樹脂製のもの、あるいは実開昭58-104077に記載の単純な形状の弾性突起を有するリング部材をイヤホン外周に装着する形態のもの等がある。また、マイクロホンも含めて耳甲介腔部に挿入するものにおいては、特開2000-261875に見られるようなバネ状の部材をイヤホン部の外周上部に設けて、この先端を耳甲介窩の上側の壁に当ててマイクロホンの所要部への適正な押圧を得るものがある。
【０００３】
一方、ＩＣ化、デジタル通信技術の進歩により、イヤホンとマイクロホン部を耳に装着するだけではなく、これらの入出力信号を処理し制御する回路、および電池も含めて耳部に装着する形態が可能となってきている。しかし、耳甲介腔部挿入する部分に全てを収めるにはまだ大きすぎることもあり、イヤホンとマイクロホン部を耳甲介腔部に収めて、電池と信号処理回路などは耳の外側に位置するように一体とした形態が主となっている。このような形態に於いては、比較的重量もあり大きな部分が装着部の外側になるため、重力による脱落方向の回転モーメントが働くため耳への装着安定性をよりよくすることが必要であると共に、骨伝導振動をより大きなレベルでマイクロホンにて拾うために、マイクロホン部を耳甲介腔の下部に適切な圧力で当てる必要がある。
【０００４】
【特許文献１】実開昭５８−１０４０７７号公報
【特許文献２】特開２０００−２６１８７５号公報
【発明の開示】
【発明が解決しようとする課題】
【０００５】
従来の補助具の形態では脱落し易い、あるいはマイクロホンの適切な押圧力が得られないなど、本形態の音情報伝達器での補助具としての十分な機能が得られない状況にある。また、耳の形状と大きさは千差万別であり、広い範囲の耳形状の相違に対応することも十分ではない。
【０００６】
本発明は、耳への装着性を維持すると共に、脱落しにくく、マイクロホンを耳甲介腔の下部に適正な圧力で押圧することを、耳の大きさ形状の多様性に対して実現する耳装着補助具を提供することを目的とする。
【課題を解決するための手段】
【０００７】
本発明にかかる耳装着補助具は、本体装置への取り付けを容易にし複数種の補助具の交換使用を容易にするとともに、耳形状の多様性に対して脱落し難く装着安定性に最も寄与する手段として、耳珠の内側から外耳道口に至る部分に当てる突起部を設けて、さらに、この突起部が耳の形状の多様性に対して有効に作用するように主として耳甲介腔および耳甲介窩部分の大きさの違いに柔軟に変形するドーム形状の弾性部を形成し脱落防止を計るとともに、このドーム状弾性部でマイクロホンの耳甲介腔の下部への適切な押圧も得るようにする。
【０００８】
また、ドーム形状を重ねて形成し、使用者がそのドーム形状のひとつをカッター等で切り取ることにより、より多種類の大きさのドーム状部を持つ耳装着補助具を得られるようにする。
【発明の効果】
【０００９】
耳の形状、大きさの多様性に対して、音情報伝達器の耳への装着の安定性と、マイクロホンの耳甲介腔の下部への適切な押圧力を得ることが出来、快適な音情報伝達器の使用に寄与することが出来る
【発明を実施するための最良の形態】
【００１０】
本発明にかかる耳装着補助具について説明する。
図1は、本実施の形態の耳装着補助具を装着する音情報伝達器において、耳装着補助具を付ける前の外観形状を示すものである。図2は耳装着補助具を音情報伝達器に取り付けた状態を示す図である。図3、図4、図5、図6は耳の形状の多様性に対応するため準備する複数種の耳装着補助具の外観を示すものである。
【００１１】
図１および図２において、音情報伝達器Aのイヤホン部８の円筒部外周に耳装着補助具４のリング状部ｈが勘合し、円筒部の外周両側に突き出た矩形の突起1と突起2は耳装着補助具４の角穴ｃと角穴ｄと勘合するようになされている。耳装着補助具は軟質樹脂またはゴム状材質で出来ていて、取り付け時に必要な伸縮性を有していると共に、ドーム状部ｂはその形状効果で略矢印ｅ方向からの押圧に対して大きく変形する柔軟性を有している。突起部ａは耳珠の内側面から外耳道口にかけての部分に接触するようになる部分であり、柔軟性を有しているが、その形状よりドーム状部ｂほどの柔軟性は無い。
【００１２】
図4の耳装着補助具４を音情報伝達器Ａに取り付けた図2に示す状態は、右耳に装着する場合の状態であるが、耳装着補助具４を左右反転して音情報伝達器Aに取り付けると突起部ａの方向が反対となり、左耳への装着用になる。このように、機能を損なうことなく左右両耳への装着に対応できるようになされている。
【００１３】
図2の状態で右耳に装着した場合、突起部ａは耳珠の内側面に当たり、角穴ｃ側のリング状部が対珠の内側に入る。ドーム状部ｂは耳甲介腔部から耳甲介窩部にかけて収まり、特に上部は対輪と耳甲介窩部の境の壁に当たり、耳と耳装着補助具のドーム状部ｂの大きさとの関係で合わない分ドーム状部ｂが変形することにより、マイクロホン7の耳甲介腔の下部への押圧力を与える機能を成す。
【００１４】
ドーム状部ｂの大きさを変えたものや、ドーム状部を重ねたものが図3から図6に示すものである。図３および図４は、ドーム状部ｂの高さの異なる形状としたものである。
【００１５】
図5や図6に示すものは外側のドーム状部をその根元部分で切り離すと、大きさの変わった新たな耳装着補助具として使用できる形態になる。
【００１６】
対珠が大きく開いていて角穴ｃ近傍のリング部が対珠の内側に引っかかるような状態にならない場合や、耳珠より対輪までの距離が大きな耳の場合は、図６の耳装着補助具6のタイプを交換し使用することにより、突起部ａに相当する部分が耳珠の内側部分から離れてしまい、イヤホン部8とマイクロホン7が耳甲介腔部に引っかからずに脱落する、あるいは安定しないことを防ぐことが出来る。
【００１７】
また、耳甲介腔部から耳甲介窩部の部分が小さい耳の場合は図６の耳装着補助具５、更に小さい場合には耳装着補助具５の外側のドーム状部ｆを切り取り、内側のドーム状部ｇでこれを代用するなどの使い分けをして、耳の形状と大きさの多様性に対応できる。
【００１８】
各個人により耳の形状と大きさはいろいろであるので図3から図6に示す耳装着補助具を一式として音情報伝達器に添付して提供する。こうすることにより、その交換は何の道具も要らない取り付け構造であるので、使用者が自分の耳の状況に応じた交換使用が出来、使用者の利便性の向上を図ることが可能となる。
【図面の簡単な説明】
【００１９】
【図１】耳装着補助具を使用する音情報伝達器の外観図である。
【図２】耳装着補助具を音情報伝達器に取り付けた一例を示す外観図である。
【図３】耳装着補助具Ｂを示す外観図である。
【図４】耳装着補助具Ｃを示す外観図である。
【図５】耳装着補助具Ｄを示す外観図である。
【図６】耳装着補助具Ｅを示す外観図である。
【符号の説明】
【００２０】
１    突起
２    突起
３    耳装着補助具Ｂ
４    耳装着補助具Ｃ
５    耳装着補助具Ｄ
６    耳装着補助具Ｅ
７    マイクロホン
８    イヤホン部
【図１】
2005184579.tif 000003
【図２】
2005184579.tif 000004
【図３】
2005184579.tif 000005
【図４】
2005184579.tif 000006
【図５】
2005184579.tif 000007
【図６】
2005184579.tif 000008